(57)【要約】【課題】  取り出された難自立性容器を自立状態にして保持することのできる、切離し可能な被包装物保持または保護主手段を有する包装器体とその組立て方法の提供。裁断製作する際の不要部分の発生が少なく、また従来周知慣用の自動組立てラインで扱うことができる上記段ボールまたは厚紙製包装器体の台紙の提供。【解決手段】  底板ａと、これに連設した前後左右側板ｂ，ｃ，ｄ，ｈと、上記左側板ｄに連設した保持または保護副板ｅ，ｆと、上記右側板ｈに連設した保持または保護副板ｉ，ｊと、上記左側板ｄに、連結部３１によって切離し自在に連結された保持または保護主板ｇと、上記右側板ｈに連設された蓋板ｋと、蓋板ｋに連設された前後側板ｍ，ｎおよび固着片ｐからなる段ボールまたは厚紙製包装器体の台紙。【選択図】  図１
2005239247.tif 000002
【特許請求の範囲】
【請求項１】
底板，蓋板，および前後左右側板からなる直方体状の筐体と、
その筐体内部の、上記前後左右側板の互いに隣接するもの同士が形成する隅角に配置された筒状の被包装物保持または保護副手段と、
その被包装物保持または保護副手段の内側に、上端開口縁の一側において連結部により上記筐体に切離し自在に連結された状態で配置された、筒状の被包装物保持または保護主手段とからなることを特徴とする段ボールまたは厚紙製包装器体。
【請求項２】
上記被包装物保持または保護副手段が、上記左右側板に連設された保持または保護副板を適宜折曲するとともに、その先端側の湾曲部を湾曲させて上記左右側板の内面に接着固定してなることを特徴とする請求項１記載の段ボールまたは厚紙製包装器体。
【請求項３】
上記被包装物保持または保護主手段が、上記筐体に切り離し自在に連結された保持または保護主板の前後両側の湾曲部を湾曲させ、その遊端同士を重合させて接着固定することにより筒状に形成されてなることを特徴とする請求項１または２記載の段ボールまたは厚紙製包装器体。
【請求項４】
方形の底板と、
その底板に連設された前後左右側板と、
上記左側板の前後両側辺縁に連設された、基部とその外方の湾曲部とからなる保持または保護副板と、
上記右側板の前後両側辺縁に連設された、基部とその外方の湾曲部とからなる保持または保護副板と、
上記左側板の左側辺縁に、幅細の連結部によって切離し自在に連結された、前後両側に湾曲部を有する保持または保護主板と、
上記右側板の右側辺縁に連設された蓋板と、
その蓋板の前後辺縁に連設された前後側板と、
上記蓋板の右側辺縁に連設された固着片とからなることを特徴とする段ボールまたは厚紙製包装器体の台紙。
【請求項５】
請求項４記載の段ボールまたは厚紙製包装器体の台紙の、
(i)各保持または保護副板を左右側板に対して起立させ、さらにそれらの湾曲部を基部に対して折るとともに、湾曲させた上記湾曲部の遊端を、上記左右側板の内面側に重合し接着固定することにより筒状の被包装物保持または保護副手段を形成し、
(ii)保持または保護主板の湾曲部を湾曲させてその遊端同士を重合し接着固定することにより形成した、筒状の被包装物保持または保護主手段を、連結部において上記被包装物保持または保護副手段の側に折るとともに、左右側板を底板に対して起立させることにより、被包装物保持または保護主手段の外面に上記各被包装物保持または保護副手段が接する状態とし、
(iii)上記底板に連設されている前側板および後側板を底板に対し起立させて、上記保持または保護副板の基部の外面に重合し接着固定することを特徴とする段ボールまたは厚紙製包装器体の組立て方法。
【発明の詳細な説明】
【技術分野】
【０００１】
本発明は、被包装物を所定の位置に保持または保護する、被包装物保持または保護手段を有する段ボールまたは厚紙製包装器体、その台紙、およびその包装器体の組立て方法に関する。
【背景技術】
【０００２】
従来、被包装物保持または保護手段を有する包装器体として、図１４に示した台紙１から組み立てられるものが知られている（特許文献１）。
【０００３】
台紙１は、正方形の底板２の前後左右辺縁にそれぞれ前側板３，後側板４，左側板５，および右側板６を連設している。
その前側板３の左側辺縁および後側板４の右側辺縁には、縦に２本の折り目を入れた保持または保護副板７，８を連設し、さらに、前側板３の右側辺縁および後側板４の左側辺縁には、縦に１本の折り目を入れた基部９ａ，１０ａとその外方の湾曲部９ｂ，１０ｂからなる、保持または保護主板９，１０を連設しているものである。
また、１１ａ〜１１ｄは、上記各側板３〜６の遊端側辺縁に連設した蓋板である。
【０００４】
この台紙１を適宜折り曲げるとともに、上記湾曲部９ｂ，１０ｂを湾曲させることにより、包装器体が組み立てられる。
【０００５】
その包装器体は、上記前後左右側板３〜６，底板２および蓋板１１…からなる直方体状の筐体内部の、上記前後左右側板３〜６の互いに隣接するもの同士が形成する４つの隅角に、上記保持または保護副板７，８および保持または保護主板９，１０の基部９ａ，１０ａが形成する三角柱状の被包装物保持または保護副手段を位置させる。
さらに、それら被包装物保持または保護副手段の内側には、保持または保護主板９，１０の湾曲部９ｂ，１０ｂが形成する円筒状の被包装物保持または保護主手段が配置された状態となる。
【０００６】
上記のような構造の包装器体は、上記被包装物保持または保護主手段内に嵌挿された被包装物を多重に囲繞し、保護することができるもので、たとえば、これに直径２５ｃｍ程度で高さが４０ｃｍ程度の円筒形の被包装物を収納する場合には、上記台紙１の底板２の一辺の長さＬ１を２５ｃｍとし、側板３〜６の長さＬ２を４０ｃｍとし、保持または保護主板９，１０の長さＬ３を７５ｃｍとし、さらに、蓋板１１ａ〜ｄの長さＬ４を１２．５ｃｍとすればよく、その台紙１の横方向の全長Ｌ５は１７５ｃｍ，縦方向の全長Ｌ６は１３０ｃｍとなる。
【０００７】
【特許文献１】特開２００２−２７４５２６号公報
【発明の開示】
【発明が解決しようとする課題】
【０００８】
しかしながら、包装器体を自動で組み立てて被包装物を自動包装する従来周知慣用の自動組立てラインでは、縦１ｍ，横２ｍ程度の大きさの台紙までしか扱うことができず、上記の大きさの台紙１からの包装器体の組立ては、特別仕様の自動組立てラインを必要とするものであった。
【０００９】
また、上記台紙１は、前後辺縁に蓋板１１ａ，１１ｂを突出させており、また、保持または保護主板９，１０を左右側板５，６よりも長くし、その左右側板５，６よりも保持または保護副板７，８を短くすることにより左右辺縁を段状にした、凹凸の多い輪郭形状を有するので、方形の段ボール板（または厚紙板）１２からこの台紙を裁断し製作する場合には、比較的大きな不要部分１３…が発生してしまい、材料の無駄が生じ不経済であった。
【００１０】
そこで本発明は、第１に、従来周知慣用の自動組立てラインで扱える大きさで、また裁断製作する際の不要部分の発生が少ない輪郭形状の台紙から、所要の大きさの包装器体を組み立てられるようにすることを目的とする。
【００１１】
さらに、上記従来の台紙１から組み立てられた包装器体は、内容物により変形されるかまたは内容物と同じ形態をとる柔軟な材質の難自立性容器を、上記被包装物保持または保護主手段により起立状態に保持したまま輸送，保管できるもので、また、その難自立性容器の内容物の充填，取出しも、上記被包装物保持または保護主手段により保持した状態のままで行えるようにしたものであった。
【００１２】
しかし、たとえば現場において一旦開封され、その後輸送等されることのない難自立性容器は、必ずしも包装器体により多重に囲繞，保護された状態で保管する必要はなく、むしろ、自立状態で保持できるようにさえしておけば、包装器体の不要となる部分を早期にリサイクルすることができるなどのメリットもある。
【００１３】
そこで、本発明は第２に、包装器体から取り出された難自立性容器を自立状態にして保持することのできる、切離し可能な被包装物保持または保護手段を有する包装器体，その台紙，およびその組立て方法の提供を目的とする。
【課題を解決するための手段】
【００１４】
請求項１記載の本発明段ボールまたは厚紙製包装器体は、底板ａ、蓋板ｋ、左側板ｄ、右側板ｈ、前側板ｂ，ｍ、および後側板ｃ，ｎからなる直方体状の筐体Ｈと、その筐体Ｈ内部の、上記前後左右側板ｄ，ｈ，ｂ，ｍ，ｃ，ｎの互いに隣接するもの同士が形成する隅角に配置された筒状の被包装物保持または保護副手段Ａ〜Ｄと、その被包装物保持または保護副手段Ａ〜Ｄの内側に、上端開口縁の一側において連結部３１により上記筐体Ｈに切離し自在に連結された状態で配置された、筒状の被包装物保持または保護主手段Ｇとからなる。
【００１５】
請求項２記載の本発明は、上記被包装物保持または保護副手段Ａ〜Ｄが、上記左右側板ｄ，ｈに連設された保持または保護副板ｅ，ｆ，ｉ，ｊを適宜折曲するとともに、その先端側の湾曲部ｅ２，ｆ２，ｉ２，ｊ２を湾曲させて上記左右側板ｄ，ｈの内面に接着固定してなる請求項１記載の段ボールまたは厚紙製包装器体である。
【００１６】
請求項３記載の本発明は、上記被包装物保持または保護主手段Ｇが、上記筐体Ｈに切り離し自在に連結された保持または保護主板ｇの前後両側の湾曲部ｇ１，ｇ２を湾曲させ、その遊端同士を重合させて接着固定することにより筒状に形成されてなる請求項１または２記載の段ボールまたは厚紙製包装器体である。
【００１７】
請求項４記載の本発明段ボールまたは厚紙製包装器体の台紙は、方形の底板ａと、その底板ａに連設された前後左右側板ｂ，ｃ，ｄ，ｈと、上記左側板ｄの前後両側辺縁に連設された、基部ｅ１，ｆ１とその外方の湾曲部ｅ２，ｆ２とからなる保持または保護副板ｅ，ｆと、上記右側板ｈの前後両側辺縁に連設された、基部ｊ１，ｉ１とその外方の湾曲部ｊ２，ｉ２とからなる保持または保護副板ｊ，ｉと、上記左側板ｄの左側辺縁に、幅細の連結部３１によって切離し自在に連結された、前後両側に湾曲部ｇ１，ｇ２を有する保持または保護主板ｇと、上記右側板ｈの右側辺縁に連設された蓋板ｋと、その蓋板ｋの前後辺縁に連設された前後側板ｍ，ｎと、上記蓋板ｋの右側辺縁に連設された固着片ｐとからなる。
【００１８】
請求項５記載の本発明段ボールまたは厚紙製包装器体の組立て方法は、請求項４記載の段ボールまたは厚紙製包装器体の台紙の、(i)各保持または保護副板ｅ，ｆ，ｉ，ｊを左右側板ｄ，ｈに対して起立させ、さらにそれらの湾曲部ｅ２，ｆ２，ｉ２，ｊ２を基部ｅ１，ｆ１，ｉ１，ｊ１に対して折るとともに、湾曲させた上記湾曲部ｅ２，ｆ２，ｉ２，ｊ２の遊端を、上記左右側板ｄ，ｈの内面側に重合し接着固定することにより筒状の被包装物保持または保護副手段Ａ〜Ｄを形成し、(ii)保持または保護主板ｇの湾曲部ｇ１，ｇ２を湾曲させてその遊端同士を重合し接着固定することにより形成した、筒状の被包装物保持または保護主手段Ｇを、連結部３１において上記被包装物保持または保護副手段Ａ，Ｃの側に折るとともに、左右側板ｄ，ｈを底板ａに対して起立させることにより、被包装物保持または保護主手段Ｇの外面に上記各被包装物保持または保護副手段Ａ〜Ｄが接する状態とし、(iii)上記底板ａに連設されている前側板ｂおよび後側板ｃを底板ａに対し起立させて、上記保持または保護副板ｅ，ｆ，ｉ，ｊの基部ｅ１，ｆ１，ｉ１，ｊ１の外面に重合し接着固定するものである。
【発明の効果】
【００１９】
請求項１〜３記載の本発明段ボールまたは厚紙製包装器体によれば、切離し可能な被包装物保持または保護主手段を有するので、その包装器体から取り出された難自立性容器を、該被包装物保持または保護主手段のみによりコンパクトな状態にして自立させておくことができ、また、包装器体の不要となる部分を早期に廃棄，リサイクルすることができる。
【００２０】
請求項４記載の本発明段ボールまたは厚紙製包装器体の台紙によれば、従来よりも凹凸の少ない略長方形の輪郭形状とすることができるので、段ボール板または厚紙板から裁断して製作する際に発生する不要部分が、従来の台紙に比べて格段に少なく、材料の有効利用を図れ、経済的である。
また、従来の台紙の大きさに比べ、その縦横の全長を短くできるので、この台紙によれば、特別仕様の自動組立てラインによらなければ組立てができなかったサイズの包装器体を、従来周知慣用の自動組立てラインによって組み立てることができる。
【００２１】
請求項５記載の本発明段ボールまたは厚紙製包装器体の組立て方法によれば、従来周知慣用の自動組立てラインによっても、切離し可能な被包装物保持または保護主手段を有する包装器体の組立てをすることができる。
【発明を実施するための最良の形態】
【００２２】
方形の底板ａと、その底板ａに連設された前後左右側板ｂ，ｃ，ｄ，ｈと、上記左側板ｄの前後両側辺縁に連設された、基部ｅ１，ｆ１とその外方の湾曲部ｅ２，ｆ２とからなる保持または保護副板ｅ，ｆと、上記右側板ｈの前後両側辺縁に連設された、基部ｉ１，ｊ１とその外方の湾曲部ｉ２，ｊ２とからなる保持または保護副板ｉ，ｊと、上記左側板ｄ左側辺縁に、幅細の連結部３１によって切り離し自在に連結された、前後両側に湾曲部ｇ１，ｇ２を有する保持または保護主板ｇと、上記右側板ｈの右側辺縁に連設された蓋板ｋと、その蓋板ｋの前後辺縁に連設された前後側板ｍ，ｎと、上記蓋板ｋの右側辺縁に連設された固着片ｐとからなることを特徴とする段ボールまたは厚紙製包装器体の台紙。
【実施例】
【００２３】
以下には本発明を図示の一実施例についてさらに詳しく説明する。
この実施例の段ボールまたは厚紙製包装器体は、段ボール板または厚紙板を所定の輪郭形状に裁断するとともに、所定の部位に折り目と切込みを入れた台紙を作成しておき、これを組み立ててなるものであるから、まず、その台紙について図１，２を参照しながら説明する。
【００２４】
ａは、台紙２０の略中央に配置された正方形の底板で、その一辺の長さｓ１を２５ｃｍとしている。
【００２５】
ｂはその底板ａの前側辺縁に折り目２１を介して連設された前側板，ｃは上記底板ａの後側辺縁に折り目２２を介して連設された後側板である。それら前後側板ｂ，ｃの縦方向の長さｓ２は２０ｃｍである。
【００２６】
ｄは、上記底板ａの左側辺縁に折り目２３を介して連設され、横方向の長さｓ３を４０ｃｍとした左側板である。
【００２７】
ｅ，ｆは、その左側板ｄの前後辺縁に折り目２４，２５を介して連設された左側の保持または保護副板である。この保持または保護副板は、上記左側板ｄ寄りの部分を基部ｅ１，ｆ１とし、その外方に折り目２６，２７を介して湾曲部ｅ２，ｆ２を連設している。２８…は、上記湾曲部ｅ２，ｆ２の全面に、上記折り目２６，２７と平行に入れた多数の折り目である。
なお、上記基部ｅ１，ｆ１の縦方向の長さｓ４は１２．５ｃｍ、湾曲部ｅ２，ｆ２の縦方向の長さｓ５は２０ｃｍとしてある。
２９，３０は、上記保持または保護副板ｅ，ｆと、上記前後側板ｂ，ｃとの間に入れた切込みである。
【００２８】
ｇは、横方向の長さｓ６を４０ｃｍ、縦方向の長さｓ７を９０ｃｍとする縦長方形の保持または保護主板で、それは、右側辺縁の縦方向中央の位置において、幅細の連結部３１によって、上記左側板ｄの左側辺縁の中央に連結されている。
上記連結部３１には、折り目が入れてあるが、さらに破線状の切込みを入れておくとか、切断用テープを貼着しておくなどし、切断し易くしておくのが好ましい。
【００２９】
ｇ１，ｇ２は、該保持または保護主板ｇの上記連結部３１に対応する中央部分を除く前後両側の部分の湾曲部で、ここには横方向の多数の折り目３２…を入れてある。
【００３０】
３３，３４は、この保持または保護主板ｇと上記左側板ｄ，および保持または保護副板ｅ，ｆとの間に、上記連結部３１を残すようにしてその前後に入れた切込みである。
【００３１】
ｈは、上記底板ａの右側辺縁に折り目３５を介して連設された右側板である。これは、上記の左側板ｄと同形同大のもので、その前後辺縁には折り目３６，３７を介して右側の保持または保護副板ｉ，ｊを連設している。
【００３２】
上記保持または保護副板ｉ，ｊも、上記左側の保持または保護副板ｅ，ｆと同形同大で、基部ｉ１，ｊ１の外方に折り目３８，３９を介して、その折り目３８，３９と平行な多数の折り目４０…を入れた湾曲部ｉ２，ｊ２を連設している。
４１，４２は、上記保持または保護副板ｉ，ｊと、上記前後側板ｂ，ｃとの間に入れた切込みである。
【００３３】
ｋは、上記右側板ｈの右側辺縁に折り目４３を介して連設された、上記底板ａと同形同大の蓋板である。その蓋板ｋの前後辺縁には、折り目４４，４５を介して上記前後側板ｂ，ｃと同形同大の前側板ｍ，後側板ｎが連設され、またその右側辺縁には、折り目４６を介して、横方向の長さｓ８を５ｃｍとし、縦方向の長さｓ９を２５ｃｍとした固着片ｐが連設されている。
４７，４８は、保持または保護副板ｉと後側板ｍとの間、および、保持または保護副板ｊと前側板ｎとの間に入れた切込みである。
【００３４】
上記の構成からなる台紙２０は、保持または保護副板ｅ，ｉの前縁から保持または保護副板ｆ，ｊの後縁までの長さと、保持または保護主板ｇの長さｓ７とを同じにすることにより、従来よりも凹凸の少ない略長方形の輪郭形状としてあるので、段ボール板または厚紙板から裁断して製作する際に発生する不要部分が、従来の台紙に比べて格段に少なく、材料の有効利用を図れるので経済的である。
【００３５】
また、横方向の全長ｓ１０を１７５ｃｍ、縦方向の全長を９０ｃｍとし、従来周知慣用の自動組立てラインで取り扱える大きさになっている。
【００３６】
次に上記の台紙２０からの、段ボールまたは厚紙製包装器体の組立て方法の一例について図３〜１０を参照しながら説明する。
まず、左右の保持または保護副板ｆ，ｊを折り目２５，３７において折り、左右側板ｄ，ｈに対して直角に起立させ、さらに、それらの湾曲部ｆ２，ｊ２を折り目２７，３９において基部ｆ１，ｊ１に対して内方（上記左右側板ｄ，ｈの内面の側）に折るとともに、該湾曲部ｆ２，ｊ２を上記各折り目２８…および４０…により折曲することにより左右側板ｄ，ｈの側に窪んだ多角状に湾曲させ、その遊端を上記左右側板ｄ，ｈの内面側に重合し接着固定する。
これにより、保持または保護副板ｆ，ｊが略三角筒状の被包装物保持または保護副手段Ａ，Ｂを形成する（図３）。
【００３７】
つづいて、保持または保護副板ｅ，ｉを、折り目２４，３６において折り、上記左右側板ｄ，ｈに対して直角に起立させる。そして、それらの湾曲部ｅ２，ｉ２を折り目２６，３８において基部ｅ１，ｉ１に対して内方（上記左右側板ｄ，ｈの内面の側）に折るとともに、該湾曲部ｅ２，ｉ２を上記各折り目２８…および４０…により折曲することにより左右側板ｄ，ｈの側に窪んだ多角状に湾曲させ、その遊端を上記湾曲部ｆ２，ｊ２の上から、上記左右側板ｄ，ｈの内面側に重合し接着固定する。
【００３８】
これにより、保持または保護副板ｅ，ｉが、上記被包装物保持または保護副手段Ａ，Ｂに対向する位置に、同じく略三角筒状の被包装物保持または保護副手段Ｃ，Ｄを形成し（図４）、これにより、互いに対向する上記被包装物保持または保護副手段ＡおよびＣの湾曲部ｆ２，ｅ２により半円形の湾曲面Ｅが形成され、また、被包装物保持または保護副手段ＢおよびＤの湾曲部ｊ２，ｉ２により、同様に半円形の湾曲面Ｆが形成される。
【００３９】
次に、上記保持または保護主板ｇを、その湾曲部ｇ１，ｇ２を上記各折り目３２…により折曲することにより多角筒状に湾曲させる。そして、その湾曲部ｇ１，ｇ２の遊端同士を重合し接着固定することにより、多角筒状の被包装物保持または保護主手段Ｇを形成する。
【００４０】
なお、上記湾曲部ｅ２，ｆ２，ｉ２，ｊ２，ｇ１，ｇ２の上記折り目２８…，４０…，３２…は省略してもよい。その場合、上記湾曲部ｅ２，ｆ２，ｉ２，ｊ２，ｇ１，ｇ２は、上記各折り目２８…，４０…，３２…ごとに折り曲げた多角状または多角筒状とすることなく、弧状または円筒状に湾曲させることができる。
【００４１】
そして、その上記被包装物保持または保護主手段Ｇを、連結部３１において上記被包装物保持または保護副手段Ａ，Ｃの側に折ることによって、その外面が上記湾曲面Ｅに接した状態とする（図５）。
【００４２】
その後、左側板ｄを折り目２３において折り、該左側板ｄを、上記被包装物保持または保護副手段Ａ，Ｃおよび被包装物保持または保護主手段Ｇごと底板ａに対して直角に起立させる。
【００４３】
また、右側板ｈを折り目３５において折り、該右側板ｈを、上記被包装物保持または保護副手段Ｂ，Ｄおよび蓋板ｋ、前後側板ｍ，ｎおよび固着片ｐごと、同じく底板ａに対して直角に起立させる（図６）。
【００４４】
これにより、被包装物保持または保護副手段Ｂ，Ｄの上記湾曲面Ｆに上記主手段Ｇの外面が接した状態、すなわち上記湾曲面Ｅ，Ｆが上記被包装物保持または保護主手段Ｇを囲繞する状態とする（図７）。
【００４５】
次いで、前側板ｂおよび後側板ｃを折り目２１，２２において折り、底板ａに対し直角に起立させて、上記保持または保護副板ｅ，ｆ，ｉ，ｊの基部ｅ１，ｆ１，ｉ１，ｊ１の外面に重合し接着固定する（図８，９）。  
【００４６】
このようにして組み立てられた段ボールまたは厚紙製包装器体の上記被包装物保持または保護主手段Ｇの内部には、その上面開口より所要の被包装物を受入させることができる。
その受入は組立て完了後に行うほか、組立て途中の適宜の段階で、被包装物を台紙２０の底板ａの上に載置するとか、筒状に形成した被包装物保持または保護主手段Ｇ内に挿入するなどして行ってもよい。
【００４７】
被包装物を受入させた後、蓋板ｋを折り目４３において折って上面を閉じ、さらに前後側板ｍ，ｎを折り目４４，４５において折り、これらを上記保持または保護副板の基部ｅ１，ｆ１，ｉ１，ｊ１の外面に接着固定するとともに、固着片ｐを折り目４６において折り、これを上記左側板ｄに接着固定することで、被包装物の包装が完了する（図１０）。
【００４８】
これにより、上記底板ａ、蓋板ｋ，左側板ｄ、右側板ｈ、前側板ｂ，ｍ、後側板ｃ，ｎが直方体状の筐体Ｈを構成するとともに、その内部の、各側板ｄ，ｈ，ｂ，ｍ，ｃ，ｎの互いに隣接するもの同士が形成する４つの隅角に上記被包装物保持または保護副手段Ａ〜Ｄが配置され、さらにそれら被包装物保持または保護副手段Ａ〜Ｄの内側には、上記被包装物保持または保護主手段Ｇが、上端開口縁の一側において、幅細の上記連結部３１によって筐体Ｈを構成する上記左側板ｄに切り離し自在に連結された状態で配置される。
【００４９】
したがって、この段ボールまたは厚紙製包装器体は、被包装物保持または保護主手段Ｇ内の被包装物を多重に囲繞してこれを保持，保護することができる。
【００５０】
特に、上記被包装物保持または保護主手段Ｇおよび被包装物保持または保護副手段Ａ〜Ｄにより、上方から加わる荷重を効果的に支えることができるので内部に被包装物を包装した状態で、数段またはそれ以上の多段に積み重ねることができ、出荷輸送，保管等に至便なものである。
【００５１】
次に、上記段ボールまたは厚紙製包装器体に包装される被包装物の一例である難自立性容器と、その難自立性容器を上記段ボールまたは厚紙製包装器体により包装し、また、上記被包装物保持または保護主手段Ｇによって自立状態に保持する方法について図１１〜１３を参照して説明する。
【００５２】
難自立性容器５０の肉厚は、図面では強調して表されているが、実際には文字通り自立が困難で、充填された内容物（たとえば、シーリング材や塗料等、粉体，粒体，液体または粘性体状の建築用流体材料）により周面を膨らます程度の柔軟で薄層の従来より公知のものである。
【００５３】
５１は軟質合成樹脂薄層からなる平面円形の材料収容袋部で、それは、下側から上側に至るに従い徐々に径を大きくし、開口周縁部５２をやや肉厚としている。
【００５４】
５３は同じく軟質合成樹脂薄層からなる環状覆部で、それは上記開口周縁部５２の上側に延長形成され、かつ、その直径線上の対向位置に手掛け孔５４，５４を形成している。
【００５５】
５５は、上記材料収容袋部５１の開口を閉じている軟質合成樹脂からなるやや肉厚の蓋部で、それは上記開口周縁部５２に嵌着状態になっている。
【００５６】
５６は、上記蓋部５５に設けたキャップ付き注出口で、このキャップ付き注出口５６は、蓋部５５の上面とほぼ面一の押入状態とそれより上方に突出する引き出し状態（図示しない。）とに簡単に変位できるようにしてある。
【００５７】
このような構成の難自立性容器５０の材料収容袋部５１に対し、上記キャップ付き注出口５６を通じて行われる上記内容物の充填は、空の難自立性容器５０を予め本発明包装器体の上記被包装物保持または保護主手段Ｇに保持させた状態にして行ってもよいし、あるいは、保持させる以前に行ってもよい。
【００５８】
いずれにしても、その難自立性容器５０は、上記被包装物保持または保護主手段Ｇ内に嵌挿されると、上記材料収容袋部５１の周面を該被包装物保持または保護主手段Ｇにより囲繞され、自立状態に保持されるもので、上記環状覆部５３を内方に折り畳んで、上記蓋板ｋを閉止することによって、該包装器体による包装が完了する（図１２）。
【００５９】
現場において難自立性容器５０の内容物を一部だけ使用したのちに、その使いかけの難自立性容器５０を起立状態にして保管しておく必要がある場合等には、上記包装器体から被包装物保持または保護主手段Ｇを取り出して、これにより難自立性容器５０を支持させておくことができる。
【００６０】
被包装物保持または保護主手段Ｇを取り出すには、まず包装器体の蓋板ｋを開いて上面を開口させ、上記連結部３１を切断し、上記難自立性容器５０を、その手掛け孔５４，５４を把持して持ち上げる。
難自立性容器５０は、その内容物により材料収容袋部５１の周面を膨らませ、被包装物保持または保護主手段Ｇの内面に圧接しているから、難自立性容器５０を持ち上げることによって、被包装物保持または保護主手段Ｇも一体に取り出すことができる。
【００６１】
取り出した難自立性容器５０を起立状態にして載置しておくには、上記環状覆部５３を、外側下方に折り返して垂下させ、その垂下させた部分が上記被包装物保持または保護主手段Ｇの上端開口縁を覆うように、さらに具体的には上記開口周縁部５２が、被包装物保持または保護手段Ｇの上端開口縁に乗載係合する状態にすればよい（図１３）。
【００６２】
これにより、難自立性容器５０を取り出した後に不要となる、包装器体の被包装物保持または保護主手段Ｇ以外の部分は、早期に廃棄またはリサイクルするなどできる。
また、被包装物保持または保護主手段Ｇのみによって自立状態に保持されている難自立性容器５０は、上記包装器体内に、被包装物保持または保護副手段Ａ〜Ｄおよび筐体Ｈに囲繞されていたときよりもコンパクトな状態となるから、これを持ち上げて傾かせ、注出口５６より内容物を注出させるような各種の作業が行いやすいものとなる。
【００６３】
なお、開封後に起立状態にして保管等する必要がない場合には、包装器体の蓋板ｋを開いて、難自立性容器５０だけを取り出して適宜使用すればよい。
【図面の簡単な説明】
【００６４】
【図１】本発明の一実施例に係る包装器体の展開状態（台紙）を示した平面図である。
【図２】同上の斜視図である。
【図３】上記包装器体の組立て状況を示した斜視図である。
【図４】上記包装器体の組立て状況を示した斜視図である。
【図５】上記包装器体の組立て状況を示した斜視図である。
【図６】上記包装器体の組立て状況を示した斜視図である。
【図７】上記包装器体の組立て状況を示した斜視図である。
【図８】上記包装器体の組立てを完了した状態の斜視図である。
【図９】図８の要部の拡大平面図である。
【図１０】上記包装器体の蓋板を閉止した状態を示した斜視図である。
【図１１】上記包装器体に包装される難自立性容器を示した斜視図である。
【図１２】上記難自立性容器を、上記包装器体により包装した状態を示した縦断面図である。
【図１３】上記難自立性容器を、被包装物保持または保護主手段に保持させた状態を示した縦断面図である。
【図１４】従来の包装器体の台紙の平面図である。
【符号の説明】
【００６５】
ａ                底板
ｂ，ｍ            前側板
ｃ，ｎ            後側板
ｄ                左側板
ｅ，ｆ，ｉ，ｊ            保持または保護副板
ｅ１，ｆ１，ｉ１，ｊ１    保持または保護副板の基部
ｅ２，ｆ２，ｉ２，ｊ２    保持または保護副板の湾曲部
ｇ                        保持または保護主板
ｇ１，ｇ２                保持または保護主板の湾曲部
ｈ                右側板
ｋ                蓋板
ｐ                固着片
Ａ，Ｂ，Ｃ，Ｄ    被包装物保持または保護副手段
Ｅ，Ｆ            湾曲面
Ｇ                被包装物保持または保護主手段
Ｈ                筐体
【図１】
2005239247.tif 000003
【図２】
2005239247.tif 000004
【図３】
2005239247.tif 000005
【図４】
2005239247.tif 000006
【図５】
2005239247.tif 000007
【図６】
2005239247.tif 000008
【図７】
2005239247.tif 000009
【図８】
2005239247.tif 000010
【図９】
2005239247.tif 000011
【図１０】
2005239247.tif 000012
【図１１】
2005239247.tif 000013
【図１２】
2005239247.tif 000014
【図１３】
2005239247.tif 000015
【図１４】
2005239247.tif 000016